(57)【要約】    【課題】  紙幣やパスポート、現金に代る各種カード類などの貴重品を、外観上の秘密状態に携帯できる防犯用ズボンを提供する。    【解決手段】  左裾（Ａ）又は／及び右裾（Ｂ）における裾上げ折り返し片（１４ａ）（１４ｂ）の股内側へ、紙幣やパスポート、現金に代る各種カード類などの貴重品（Ｍ１）（Ｍ２）が収納されるシークレットポケット（Ｐ１）（Ｐ２）を、そのシルエットの外観上看取できない状態に付属一体化させると共に、上記シークレットポケット（Ｐ１）（Ｐ２）の出し入れ口（１７ａ）（１７ｂ）へ粘着テープやベルクロテープ、スライドファスナーなどの開閉用具（１８ａ）（１８ｂ）を取り付けた。【選択図】  図４
2005120505.tif 000002
【特許請求の範囲】
【請求項１】
左裾（Ａ）又は／及び右裾（Ｂ）の股内側へ紙幣やパスポート、現金に代る各種カード類などの貴重品収納用シークレットポケット（Ｐ１）（Ｐ２）を、そのシルエットが外観上看取されない状態に付属一体化させたことを特徴とする防犯用ズボン。
【請求項２】
貴重品収納用シークレットポケット（Ｐ１）（Ｐ２）をズボン生地と別異の滑りやすい裏地又は／及び防水性の裏地から成る袋布として、裾上げ折り返し片（１４ａ）（１４ｂ）へ縫い付けたことを特徴とする請求項１記載の防犯用ズボン。
【請求項３】
貴重品収納用シークレットポケット（Ｐ１）（Ｐ２）をズボン生地と別異の滑りやすい裏地又は／及び防水性の裏地から成る袋布として、ズボン生地へ纏り付けたことを特徴とする請求項１記載の防犯用ズボン。
【請求項４】
貴重品収納用シークレットポケット（Ｐ１）（Ｐ２）を前後方向に沿い延在するほぼ長方形な袋布として、その前向きの出し入れ口（１７ａ）（１７ｂ）にベルクロテープや粘着テープ、スライドファスナー、ハトメホックなどの開閉用具（１８ａ）（１８ｂ）を取り付けたことを特徴とする請求項１、２又は３記載の防犯用ズボン。
【請求項５】
左裾（Ａ）と右裾（Ｂ）との何れか一方に付属する貴重品収納用シークレットポケット（Ｐ１）を、展開状態の紙幣（Ｍ１）が収納される大型のほぼ長方形な袋布とし、
残る他方に付属する貴重品収納用シークレットポケット（Ｐ２）を、パスポートや各種カード類（Ｍ２）が収納される小型のほぼ長方形な袋布として、
その左右一対の貴重品収納用シークレットポケット（Ｐ１）（Ｐ２）に大きさの相違変化を与えたことを特徴とする請求項１、２、３又は４記載の防犯用ズボン。
【発明の詳細な説明】
【技術分野】
【０００１】
本発明は紙幣やパスポート、現金に代る各種カード類などの貴重品を外観上の秘密状態に携帯できる防犯用ズボン（本発明中スラックスやパンツ、パンタロン、レングスなどの通称品も含み、その男女用の区別を問わない。）に関する。
【背景技術】
【０００２】
警察白書によれば、日本国内も不法入国者の増加に連れて、治安が悪化しつつあり、特に日本から治安の悪い外国へ旅行した場合、スリや掻っ払いなどに遭遇し、パスポートや紙幣、現金に代る各種カード類、その他の貴重な携帯品を盗まれてしまうことが頻発している。
【０００３】
このような盗難事故の対策用となる「旅行に便利なズボン」として、実開平６−７３１０９号が提案されている。
【特許文献１】実開平６−７３１０９号公報
【発明の開示】
【発明が解決しようとする課題】
【０００４】
ところが、上記公知考案のズボン（１）では前方大腿部にポケット（４）が取り付けられており、そのポケット口（２）の開閉用ファスナー（３）も前方に露出しているため、スリや掻っ払いなどの犯人から着用者のボディチェックを受けるまでもなく、そのポケット（４）の存在が外観上明確に看取されてしまうこととなり、隠しポケットとしての防犯効果を発揮することは到底不可能である。
【０００５】
又、ズボン（１）の前方大腿部にポケット（４）が取り付けられている位置関係上、パスポートや紙幣などの貴重品を多量に収納したり、椅子やソファーなどに坐ったりしたような場合、ズボン生地が大腿部に廻り付き密着するため、着用者本人が違和感を覚えるばかりでなく、貴重品のシルエットが浮き彫り状態となり、更に各種カード類やパスポートなどの硬質な貴重品が不正に変形してしまう問題もある。
【課題を解決するための手段】
【０００６】
本発明はこのような諸問題の抜本的な解決を企図しており、そのための防犯用ズボンとして、左裾又は／及び右裾の股内側へ紙幣やパスポート、現金に代る各種カード類などの貴重品収納用シークレットポケットを、そのシルエットが外観上看取されない状態に付属一体化させたことを特徴とするものである。
【発明の効果】
【０００７】
本発明の請求項１に特定した上記構成では、貴重品収納用シークレットポケットが左裾又は／及び右裾の股内側へ、そのシルエットの外観上看取できない状態に付属一体化されているため、着用者が歩行中にスリや掻っ払いなどの犯人から簡単なボディチェックを受けても、貴重品の判明するおそれがなく、その防犯効果に著しく優れる。
【０００８】
又、着用者が椅子やソファーなどに坐った場合でも、ズボンの裾は着用者の脚部に密着しないため、違和感を覚えることはなく、更に貴重品のシルエットが浮き彫り状態になったり、その貴重品の不正に変形したりするおそれもない。
【０００９】
特に、両裾の股内側へ左右一対の貴重品収納用シークレットポケットを付属一体化させた構成によれば、その両シークレットポケットへ貴重品を振り分けて、極力多量に収納・携帯することができ、着用状態のアンバランスによる違和感を覚えることもなく、却ってその貴重品の重量によりズボンの折り目ラインをシャープに保てる結果、シルエットの向上にも役立つ。
【００１０】
請求項２や請求項３に記載の構成を採用するならば、滑りやすい裏地の袋布から成るシークレットポケットに対して、貴重品の出し入れ作業をすばやく円滑に行なえ、又防水性裏地の袋布から成るシークレットポケットにより、その内部に収納された貴重品を雨水から保護できる効果がある。
【００１１】
請求項４に記載を構成を採用するならば、シークレットポケットがズボンの前後方向へ延在するほぼ長方形な袋布として、その出し入れ口が前向きのため、椅子やソファーなどに坐った姿勢状態のもとで、前方から貴重品の出し入れ作業を容易に行なうことができ、上記出し入れ口に取り付けられた開閉用具とも相俟って、貴重品を脱落のおそれがない収納・携帯状態に保てるのである。
【００１２】
更に、請求項５に記載の構成を採用するならば、その左右何れか一方の大型シークレットポケット内へ紙幣の１日分消費額と、残る他方の小型シークレットポケット内へ各種カード類の数枚程度とを、一挙同時に収納・携帯することができ、その極力多量に収納・携帯しつつも、外観上看取されない秘密状態に保てる効果があり、利便性にも優れる。
【発明を実施するための最良の形態】
【００１３】
以下、図面に基いて本発明の具体的構成を詳述すると、図１〜１０は背広服やジャケットのゆったりしたシングル裾上げズボンに適用した本発明の第１実施形態を示しており、（１０）はベルト通し、（１１）は前立て、（１２ａ）（１２ｂ）は左右一対の脇ポケット、（１３ａ）（１３ｂ）は左右一対の後ポケットであって、その何れの出し入れ口もズボンの外側に露出している。
【００１４】
（１４ａ）（１４ｂ）は左裾（Ａ）と右裾（Ｂ）との裾上げ折り返し片であり、その折り返し片（１４ａ）（１４ｂ）の上縁部が何れも股下の縫い合わせライン（１５ａ）（１５ｂ）とほぼ直交する状態として、ズボン生地に各々纏り付けられていることは言うまでもない。（１６ａ）（１６ｂ）はその纏り糸を示している。尚、ズボン生地とその仕立て状態は公知のズボンと異ならないため、これらの詳細な説明を省略する。
【００１５】
（Ｐ１）（Ｐ２）は上記脇ポケット（１２ａ）（１２ｂ）や後ポケット（１３ａ）（１３ｂ）と別個な左右一対の貴重品収納用シークレットポケットであって、その何れもズボンの外観上看取されないように、上記左裾（Ａ）における裾上げ折り返し片（１４ａ）の股内側と、右裾（Ｂ）における同じく裾上げ折り返し片（１４ｂ）の股内側へ、各々縫い付けや接着、その他の適当な固定手段によって付属一体化されており、これらのシークレットポケット（Ｐ１）（Ｐ２）内へ紙幣やパスポート、現金に代る各種カード類、その他の定形・扁平な貴重品（Ｍ１）（Ｍ２）を収納・携帯できるようになっている。
【００１６】
上記シークレットポケット（Ｐ１）（Ｐ２）の各個は、これを図４〜７のようなズボンの前後方向に沿い延在するほぼ長方形の袋布として形作り、その前向きとなる出し入れ口（１７ａ）（１７ｂ）へ予じめ粘着テープやベルクロテープ（商品名：マジックテープ）、スライドファスナー、ハトメホックなどの開閉用具（１８ａ）（１８ｂ）を取り付けておき、その袋布の４辺を後加工の縁取りミシン糸（１９ａ）（１９ｂ）によって、上記裾上げ折り返し片（１４ａ）（１４ｂ）へ縫い付けることが好ましい。
【００１７】
そうすれば、ズボンの着用者が椅子やソファーなどに坐った姿勢状態のもとで、そのシークレットポケット（Ｐ１）（Ｐ２）へ前方から容易に便利良く貴重品（Ｍ１）（Ｍ２）の出し入れ作業を行なえ、しかもその貴重品（Ｍ１）（Ｍ２）を脱落不能に保つことができるほか、上記裾上げ折り返し片（１４ａ）（１４ｂ）に対する４辺の縫い付けにより、シークレットポケット（Ｐ１）（Ｐ２）の固定強度も向上し、形崩れの防止に役立つ。
【００１８】
そして、このようなシークレットポケット（Ｐ１）（Ｐ２）の袋布だけを単品として販売すれば、これを仕立てられた新品のズボンや、直し加工するズボンへ後付け縫製することができ、既往のズボンを本発明の防犯用ズボンとして改変し得る効果もある。
【００１９】
但し、上記裾上げ折り返し片（１４ａ）（１４ｂ）の折り返し面積が広い場合や、逆に貴重品（Ｍ１）（Ｍ２）が小型である場合、ゆったり感に乏しいズボンの場合には、シークレットポケット（Ｐ１）（Ｐ２）の出し入れ口（１７ａ）（１７ｂ）が上向きや、斜め前上向き又は斜め後上向きになる状態として、その裾上げ折り返し片（１４ａ）（１４ｂ）の股内側へ縫い付けてもさしつかえない。
【００２０】
又、上記出し入れ口（１７ａ）（１７ｂ）の開閉用具（１８ａ）（１８ｂ）としても、特に雌雄関係での咬み合うベルクロテープを採用した上、これを図６〜８のように袋布から成るシークレットポケット（Ｐ１）（Ｐ２）の出し入れ口（１７ａ）（１７ｂ）へ、縁取りミシン糸（２０ａ）（２０ｂ）によって縫い付けておくことが望ましい。
【００２１】
そうすれば、上記シークレットポケット（Ｐ１）（Ｐ２）の袋布を展開した状態において、その出し入れ口（１７ａ）（１７ｂ）への付け替えを容易に行なえるばかりでなく、シークレットポケット（Ｐ１）（Ｐ２）のシルエットを外観上看取されない状態に扁平化でき、その確実な咬み合い力により出し入れ口（１７ａ）（１７ｂ）を安定良く密閉し得ると共に、アイロンなどのプレス作用に障害を与えない利点もある。
【００２２】
更に、上記シークレットポケット（Ｐ１）（Ｐ２）の生地としては、ズボン生地（表地）と別異なキュプラ（商品名：ベンベルグ）やその他の丈夫で、しかも滑りやすい裏地を採用して、これから袋布に形作ることが好ましい。貴重品（Ｍ１）（Ｍ２）の出し入れ作業をすばやく円滑に行なえるからである。
【００２３】
そのシークレットポケット（Ｐ１）（Ｐ２）の袋布を撥水性又は防水加工された裏地や防塵性に富む裏地から作成して、貴重品（Ｍ１）（Ｍ２）を降雨や塵埃から保護したり、逆にクリーニングできる性質の裏地から作成して、一般家庭での水洗いなどに供することも考えられる。
【００２４】
シークレットポケット（Ｐ１）（Ｐ２）の左右一対は互いに同じ大きさとして、上記裾上げ折り返し片（１４ａ）（１４ｂ）の股内側へほぼ対称な状態に付属一体化させても良いが、特に図４〜１０から明白なように、その左右何れか一方のシークレットポケット（Ｐ１）を展開状態の紙幣（Ｍ１）が収納される大型（例えば約２０cm×９cmのほぼ長方形）とし、残る他方のシークレットポケット（Ｐ２）をパスポートや、現金に代る各種カード類（Ｍ２）が収納される小型（例えば約１２cm×９cmのほぼ長方形）として、その大きさに相違変化を与えることが望ましい。
【００２５】
そうすれば、左右一対のシークレットポケット（Ｐ１）（Ｐ２）へ貴重品（Ｍ１）（Ｍ２）を振り分けて収納することにより、その極力多量でも外観上看取されない状態に保つことができるほか、例えば旅行中の１日分消費額（１万円札の２０枚程度）に相当する紙幣（Ｍ１）と、現金に代る２枚程度のカード類（Ｍ２）との２種を、一挙同時に携帯し得る利便性があり、その貴重品（Ｍ１）（Ｍ２）の重量によって、ズボンの折り目ライン（２１ａ）（２１ｂ）をシャープに保てる効果もある。但し、左裾（Ａ）又は右裾（Ｂ）の股内側についてのみ、１個のシークレットポケット（Ｐ１）又は（Ｐ２）を付属一体化させても勿論良い。
【００２６】
次に、図１１、１２は裾上げ折り返し片（１４ａ）（１４ｂ）の狭いシングル裾上げズボンに適用した本発明の第２実施形態と、ダブル裾上げズボンに適用した本発明の第３実施形態を示しているが、これらの左裾（Ａ）又は／及び右裾（Ｂ）における狭い裾上げ折り返し片（１４ａ）（１４ｂ）の股内側へ、上記貴重品収納用シークレットポケット（Ｐ１）（Ｐ２）を付属一体化させるに当っては、上記第１実施形態の構成に準じて、そのほぼ長方形なシークレットポケット（Ｐ１）（Ｐ２）の下辺をやはり後加工のミシン糸（１９ａ）（１９ｂ）によって縫い付けると共に、残る上辺や前後両辺をズボン生地へ縁取り纏り糸（２２ａ）（２２ｂ）によって纏り付けるか、又はズボン生地と同色系統のミシン糸により縫い付けて、そのシークレットポケット（Ｐ１）（Ｐ２）が外観上看取できない状態に保てば良い。
【００２７】
尚、このような第２、３実施形態におけるその他の構成は上記第１実施形態と実質的に同一であるため、その図１１、１２に図１〜１０との対応符号を記入するにとどめて、その詳細な説明を割愛する。
【００２８】
何れにしても、本発明の防犯用ズボンはこれを公知のズボンと同様に、誰でも違和感なく着用することができ、例えば日本国内の人出が多い地域へ小旅行したり、特に治安の悪い外国へ旅行したりする場合に、携帯不可欠の紙幣やパスポート、現金に代る各種カード類などの貴重品（Ｍ１）（Ｍ２）を、そのシークレットポケット（Ｐ１）（Ｐ２）へ安全に収納しつつ、旅行を楽しめる効果があり、実用性に富む発明と言える。
【図面の簡単な説明】
【００２９】
【図１】本発明に係る防犯用ズボンの第１実施形態を示す正面図である。
【図２】図１の左裾を一部破断して示す左側面図である。
【図３】図１の右裾を一部破断して示す右側面図である。
【図４】図１の４−４線に沿う拡大断面図である。
【図５】図４の５−５線断面図である。
【図６】図４の６−６線断面図である。
【図７】図４の７−７線断面図である。
【図８】図６の８−８線に沿う拡大断面図である。
【図９】一方の大型シークレットポケットを抽出して示す正面図である。
【図１０】他方の小型シークレットポケットを抽出して示す正面図である。
【図１１】本発明の第２実施形態を示す図７に対応する断面図である。
【図１２】本発明の第３実施形態を示す図７に対応する断面図である。
【符号の説明】
【００３０】
（１４ａ）（１４ｂ）・裾上げ折り返し片
（１５ａ）（１５ｂ）・股下の縫い合わせライン
（１６ａ）（１６ｂ）・纏り糸
（１７ａ）（１７ｂ）・出し入れ口
（１８ａ）（１８ｂ）・開閉用具
（１９ａ）（１９ｂ）（２０ａ）（２０ｂ）・縁取りミシン糸
（２１ａ）（２１ｂ）・ズボンの折り目ライン
（２２ａ）（２２ｂ）・縁取り纏り糸
（Ａ）・左裾
（Ｂ）・右裾
（Ｐ１）（Ｐ２）・シークレットポケット
（Ｍ１）（Ｍ２）・貴重品
【図１】
2005120505.tif 000003
【図２】
2005120505.tif 000004
【図３】
2005120505.tif 000005
【図４】
2005120505.tif 000006
【図５】
2005120505.tif 000007
【図６】
2005120505.tif 000008
【図７】
2005120505.tif 000009
【図８】
2005120505.tif 000010
【図９】
2005120505.tif 000011
【図１０】
2005120505.tif 000012
【図１１】
2005120505.tif 000013
【図１２】
2005120505.tif 000014